(57)【特許請求の範囲】
【請求項１】
給水源から用水を供給する給水配管と処理工程毎に設けた処理部とを有して複数の処理部で古紙再生処理系を構成し、各処理部の運転を制御する制御部を備える古紙再生処理装置において、
給水配管に元弁装置を設け、手動制御で洗浄水を供給する手動制御洗浄水供給装置を元弁装置より下流側で給水配管から分岐して設け、複数の処理部の少なくとも何れか１つの処理部に液位監視装置を設け、
制御部は、古紙再生処理系の通常運転を停止して作業者が手動制御で洗浄作業を行うメンテナンス時に、液位監視装置が異常液位を検出したときに元弁装置を閉操作する元弁装置制御機能部を備えることを特徴とする古紙再生処理装置。
【請求項２】
元弁装置は、古紙再生処理系に電力を供給する主電源が非通電状態であるときに閉状態を維持し、主電源が通電状態であるときに開状態となり、液位監視装置が異常液位を検出したときに制御装置の元弁装置制御機能部により閉操作されることを特徴とする請求項１に記載の古紙再生処理装置。
【請求項３】
手動制御洗浄水供給装置は洗浄用弁装置を有し、制御部は古紙再生処理系の運転中において洗浄用弁装置を閉操作する洗浄用弁装置制御機能部を備えることを特徴とする請求項１に記載の古紙再生処理装置。
【請求項４】
手動制御洗浄水供給装置は水流検出装置を有し、制御部は水流検出装置が水流を検出したときに古紙再生処理系の運転を禁止する通常運転禁止制御機能部を備えることを特徴とする請求項１に記載の古紙再生処理装置。
【請求項５】
制御部は、各処理部を任意に単独運転する単独運転制御機能部を備えることを特徴とする請求項１に記載の古紙再生処理装置。
【請求項６】
制御部は、予めメンテナンス動作として設定した各処理部の洗浄動作を行なう洗浄動作制御機能部を備えることを特徴とする請求項１に記載の古紙再生処理装置。
【請求項７】
古紙再生処理系を構成する複数の処理部は、再生原料を離解して再生パルプを調製するパルパー部と、再生パルプを貯蔵する貯蔵タンク部と、再生パルプを脱墨して脱墨パルプを調製する脱墨部と、脱墨パルプから湿紙を抄紙する抄紙部と、抄紙部から排出する白水を貯留する白水タンク部と、排水を処理する排水処理タンク部であることを特徴とする請求項１に記載の古紙再生処理装置。
【発明の詳細な説明】
【技術分野】
【０００１】
本発明は、古紙の発生場所であるオフィス等に設置して紙を再生することができる古紙再生処理装置に関し、詳しくはメンテナンス用水源に係る技術である。
【背景技術】
【０００２】
従来、一般的な製紙工場で古新聞紙等の一度使用した古紙を再生する製紙方法は、古紙パルプ工程、抄紙工程、仕上工程からなる。
古紙パルプ工程では、パルパーにおいて原料である古紙を水に溶解し、機械的な力や薬品を利用して紙繊維以外の異物である金属やフィルム、粘着性樹脂、印刷インク（染料系、顔料系）、コピートナーなどを分離、除去し、漂白処理、脱水、乾燥して古紙パルプを得る。
【０００３】
抄紙工程では、抄紙機のワイヤーパート、プレスパート、ドライヤーパート、カレンダーパート、コーターパートを経て製品の紙とする。ワイヤーパートでは調製（再生）されたパルプを抄紙用の網（ワイヤー）に乗せて脱水して紙を抄き、プレスパートではワイヤーパートから出た水分を多く含んだ湿紙の水分を除去する。ドライヤーパートでは蒸気で加熱されたドライヤーに紙を通して乾燥させ、カレンダーパートではロール間に紙を通して表面の凹凸を平滑化し、コーターパートでは原紙に塗料を塗工する。
【０００４】
仕上工程では、スーパーカレンダーパートではコーターパートで塗工した紙面のミクロの凹凸を平滑化して光沢を出し、カッターおよびワインダーパートでは所定の製品寸法にカットし、あるいはロールに巻き取る。
【０００５】
ところで、小型製紙機においては、大型の製紙機に比べて運転、停止が頻繁に行われており、停止時にパルパー等の機械各部やタンクにおいて溶液中の繊維が沈殿したり、水分が蒸発して繊維だけが残ってしまう状況が起こりやすい。したがって、適宜、適切なメンテナンスが必要である。
【０００６】
一連の運転停止後に自動的に洗浄するモードを備えた製紙機においても、状況によっては自動的洗浄モードだけでは十分でなく、別途手動制御による洗浄が必要となる場合もある。
【０００７】
特許文献１は、抄紙機のプレスパートのプレスロールにドクターシャワー水を吹き付けるものであり、ドクターシャワー水に定量ポンプにより剥離剤を添加して、ドクターシャワー水と共に剥離剤をプレスロールに吹き付ける構成が記載されている。
【先行技術文献】
【特許文献】
【０００８】
【特許文献１】特開２００９−２３５５９５
【発明の概要】
【発明が解決しようとする課題】
【０００９】
ところで、手動制御による水や薬品の洗浄は、基本的に製紙機の運転を停止した状態で行なう作業である。製紙機が備える複数の貯留槽は配管で繋がっており、手動制御による水や薬品の洗浄を行なった場合に、その洗浄排水は上位の貯留槽から下位の貯留槽へ流れる。
【００１０】
しかし、製紙機の運転を停止した状態では水位計等のセンサーが作動しておらず、作業者の監視の目が行き届かない場合には、貯留槽が洗浄排水で一杯となり、洗浄排水等が貯留槽から溢れ出して機械外部に漏出するという問題がある。
【００１１】
本発明は上記した課題を解決するものであり、手動制御によるメンテナンス時に製紙機の貯留槽の液位の異常を検出して、洗浄排水等が機器外へ漏出することを未然に防止できる古紙再生処理装置を提供することを目的とする。
【課題を解決するための手段】
【００１２】
上記課題を解決するために、本発明の古紙再生処理装置は、給水源から用水を供給する給水配管と処理工程毎に設けた処理部とを有して複数の処理部で古紙再生処理系を構成し、各処理部の運転を制御する制御部を備える古紙再生処理装置において、給水配管に元弁装置を設け、手動制御で洗浄水を供給する手動制御洗浄水供給装置を元弁装置より下流側で給水配管から分岐して設け、複数の処理部の少なくとも何れか１つの処理部に液位監視装置を設け、制御部は、古紙再生処理系の通常運転を停止して作業者が手動制御で洗浄作業を行うメンテナンス時に、液位監視装置が異常液位を検出したときに元弁装置を閉操作する元弁装置制御機能部を備えることを特徴とする。
【００１３】
本発明の古紙再生処理装置において、元弁装置は、古紙再生処理系に電力を供給する主電源が非通電状態であるときに閉状態を維持し、主電源が通電状態であるときに開状態となり、液位監視装置が異常液位を検出したときに制御装置の元弁装置制御機能部により閉操作されることを特徴とする。
【００１４】
本発明の古紙再生処理装置において、手動制御洗浄水供給装置は洗浄用弁装置を有し、制御部は古紙再生処理系の運転中において洗浄用弁装置を閉操作する洗浄用弁装置制御機能部を備えることを特徴とする。
【００１５】
本発明の古紙再生処理装置において、手動制御洗浄水供給装置は水流検出装置を有し、制御部は水流検出装置が水流を検出したときに古紙再生処理系の運転を禁止する通常運転禁止制御機能部を備えることを特徴とする。
【００１６】
本発明の古紙再生処理装置において、制御部は、各処理部を任意に単独運転する単独運転制御機能部を備えることを特徴とする。
本発明の古紙再生処理装置において、制御部は、予めメンテナンス動作として設定した各処理部の洗浄動作を行なう洗浄動作制御機能部を備えることを特徴とする。
【００１７】
本発明の古紙再生処理装置において、古紙再生処理系を構成する複数の処理部は、再生原料を離解して再生パルプを調製するパルパー部と、再生パルプを貯蔵する貯蔵タンク部と、再生パルプを脱墨して脱墨パルプを調製する脱墨部と、脱墨パルプから湿紙を抄紙する抄紙部と、抄紙部から排出する白水を貯留する白水タンク部と、排水を処理する排水処理タンク部であることを特徴とする。
【発明の効果】
【００１８】
以上のように本発明によれば、作業者が手動制御で洗浄作業を行なうメンテナンス時において、液位監視装置が処理部の異常液位を検出したときに、制御部の元弁装置制御機能部が元弁装置を閉操作することで、作業者の監視の目が行き届かない場合にあっても、処理部の貯留槽が洗浄排水で一杯となる前に、洗浄作業を停止させ、洗浄排水等が処理部の貯留槽から溢れ出して機械外部に漏出することを未然に防止できる。
【００１９】
メンテナンス時には、主電源が通電状態である場合にのみ、元弁装置が開状態となって作業者が手動制御洗浄水供給装置を用いて手動制御で洗浄作業を行なうことができ、主電源が通電状態であることを洗浄作業の条件とすることで、液位監視装置の作動を保障し、液位監視装置による処理部の監視を確実に実行できる。
【００２０】
古紙再生処理系の運転中は制御部の洗浄用弁装置制御機能部が洗浄用弁装置を閉操作するので、古紙再生処理中に作業者が手動制御洗浄水供給装置を用いて手動制御で洗浄作業を行なうことを確実に禁止できる。
【００２１】
制御部は、水流検出装置により水流を検出することで、作業者が手動制御洗浄水供給装置を用いて手動制御で洗浄作業を行なっていることを認知でき、制御部の通常運転禁止制御機能部によりメンテナンス中の古紙再生処理系の運転を確実に禁止できる。
【００２２】
メンテナンス時に作業者は、手動制御洗浄水供給装置を用いて手動制御で洗浄作業を行なう際に、制御部の単独運転制御機能部により手動制御で各処理部、例えばパルパー部や抄紙部を任意に単独運転することで、洗浄効果を高めることができる。
【００２３】
作業者は、手動制御洗浄水供給装置を用いて行なう洗浄作業の後に、制御部の洗浄動作制御機能部を起動することで、予めメンテナンス動作として設定した各処理部の洗浄動作を行なうことができ、各処理部に対する仕上げ洗浄が可能になる。
【図面の簡単な説明】
【００２４】
【図１】本発明の実施の形態における古紙再生処理装置を示すブロック図
【図２】同実施の形態における古紙再生処理装置の制御部を示すブロック図
【図３】同実施の形態における古紙再生処理装置のパルパー部を示す模式図
【図４】同実施の形態における古紙再生処理装置の抄紙部を示す模式図
【発明を実施するための形態】
【００２５】
以下、本発明の実施の形態を図面に基づいて説明する。図１〜図４において、古紙再生処理装置は、古紙再生処理系を構成する複数の処理部を有しており、処理部には給紙部１、パルパー部９、貯蔵タンク部１０、脱墨部１１、抄紙部１３、乾燥部１４、仕上部１５、白水タンク部１００、排水処理タンク部１０１がある。また、古紙再生処理装置は各処理部の運転を制御する制御部７００を備えている。
【００２６】
給紙部１は、再生原料の古紙４を供給するものであり、古紙４を細断した紙片２を貯留する貯留部３と、貯留部３に古紙４を供給する給紙装置５と、貯留部３に貯留されている紙片２を計量部６に排出する排出用サイクロン７と、貯留部３の紙片２を排出用サイクロン７へ搬送する紙片搬送ダクト１６と、紙片搬送ダクト１６に搬送用空気を供給して貯留部３から排出用サイクロン７へ向って流れる送気流１７を発生させる送風装置１８からなる。
【００２７】
パルパー部９は、紙片２を離解して再生パルプを調製するものであり、パルパー槽３７と、パルパー槽３７内に設けた攪拌装置３８を有し、計量部６において計量された紙片２を離解して再生パルプを含むパルプ懸濁液８を製造する。
【００２８】
貯蔵タンク部１０は、パルパー部９で得られたパルプ懸濁液８を貯留するものであり、内部に攪拌装置３９を有している。
脱墨部１１は、貯蔵タンク部１０において貯留されたパルプ懸濁液８を脱墨して脱墨パルプを調製するものであり、蛇行した流路を形成した脱墨槽４０と、脱墨槽４０の下部から多数の気泡を放出する散気装置（図示省略）とを有している。
【００２９】
抄紙部１３は、脱墨されたパルプ懸濁液８から湿紙１２を抄紙するものであり、複数のローラ４２に巻回されたメッシュ状のベルトからなる抄紙ワイヤー４３と、脱墨されたパルプ懸濁液８を抄紙ワイヤー４３上に供給するヘッドボックス４４を有している。
【００３０】
脱水部２０は、湿紙１２を脱水するものであり、複数のローラ４６に巻回されたフェルトの吸水ベルト４７からなり、湿紙１２が抄紙ワイヤー４３から吸水ベルト４７に転移し、吸水ベルト４７が湿紙１２を吸収脱水する。
【００３１】
乾燥部１４は、脱水された湿紙１２を乾燥するものであり、加熱装置４８を内蔵した乾燥ローラ４９と複数のローラ５０とにスチール製の第１搬送ベルト５１を巻回し、複数のローラ５２に網状で樹脂製の第２搬送ベルト５３を巻回しており、第１搬送ベルト５１と第２搬送ベルト５３とは湿紙１２を挟んで乾燥ローラ４９の外周面上で重なり、乾燥ローラ４９で湿紙１２を乾燥させる。
【００３２】
プレス用の一対のローラ４６ａ、５０ａは、吸水ベルト４７と第１搬送ベルト５１を介して湿紙１２を圧搾脱水するとともに、湿紙１２を吸水ベルト４７から第１搬送ベルト５１に転移させる。
【００３３】
仕上部１５は、湿紙１２を乾燥して得られる乾紙６１に対して仕上工程を行い、得られた再生紙６２を紙受部６３に排出するものであり、乾紙６１を所定のサイズに切断する金属製のカッター６０等が設けられている。
【００３４】
図１に示すように、排水処理タンク部１０１は、脱墨排水系１０２を通して脱墨部１１から流入する脱墨廃液を処理するもので、フィルターで繊維、インク、トナーを除去し、薬剤の添加により中性化して公共下水の下水配管１０３へ排水可能な水質にまで処理する。
【００３５】
白水タンク部１００は、抄紙排水系１０４を通して抄紙部１３から流入する再生パルプを含む排水である白水を貯留するものであり、白水を白水返送系１０５、１０６を通して古紙再生処理系の各所へ返送する。
【００３６】
給水源、ここでは上水配管１０７から用水を供給する給水配管１０８がパルパー部９に接続しており、給水配管１０８に電磁弁からなる緊急停止用の元弁装置１０９を設けている。元弁装置１０９は、古紙再生処理系に電力を供給する主電源が非通電状態であるときに閉状態を維持し、主電源が通電状態であるときに開状態となる。
【００３７】
元弁装置１０９より下流側で給水配管１０８から分岐して手動制御洗浄水供給装置１１０を設けている。手動制御洗浄水供給装置１１０は、手動制御で洗浄水を供給するものであり、電磁弁からなる洗浄用弁装置１１１、水流計等からなる水流検出装置１１２、手動開閉栓１１３、シャワーヘッド１１４を上流側から下流側へ順次に設けている。さらに、スポット洗浄用配管２００が元弁装置１０９より下流側で給水配管１０８から分岐し、抄紙部１３に接続している。
【００３８】
貯蔵タンク部１０、脱墨部１１、抄紙部１３、白水タンク部１００、排水処理タンク部１０１には、液位計等からなる液位監視装置１１５を設けている。液位監視装置１１５は貯蔵タンク部１０、脱墨部１１、抄紙部１３、白水タンク部１００、排水処理タンク部１０１の少なくとも何れか１つに設ければよい。
【００３９】
図２に示すように、制御部７００は、ＣＰＵ７１０に設定する機能回路として、以下の機能部を有している。つまり、パルパー部９の運転を制御するパルパー部制御機能部７１１と、脱墨部１１の運転を制御する脱墨部制御機能部７１２と、抄紙部３の運転を制御する抄紙部制御機能部７１３と、仕上部１５の運転を制御する仕上部制御機能部７１４と、排水処理タンク部１０１の運転を制御する排水処理タンク部制御機能部７１５と、稼動開始から稼動停止までの運転プロセスを逐次実行する自動運転制御機能部７１６と、液位監視装置１１５が異常液位を検出したときに元弁装置を閉操作する元弁装置制御機能部７１７と、古紙再生処理系の運転中において洗浄用弁装置１１１を閉操作する洗浄用弁装置制御機能部７１８と、水流検出装置１１２が水流を検出したときに古紙再生処理系の運転を禁止する通常運転禁止制御機能部７１９と、各処理部を任意に単独運転する単独運転制御機能部７２０と、予めメンテナンス動作として設定した各処理部の洗浄動作を自動的に一連の動作として行なう洗浄動作制御機能部７２１を備える。
【００４０】
以下、上記した構成の作用を説明する。
（通常運転）
古紙再生処理を行なう通常運転では、制御部７００の自動運転制御機能７１６が再生パルプ部制御機能部７１１、脱墨パルプ部制御機能部７１２、抄紙部制御機能部７１３、仕上げ部制御機能部７１４、排水処理部制御機能部７１５を起動し、それぞれパルパー部９と脱墨部１１と抄紙部１３と仕上部１５と排水処理タンク部１０１を制御して古紙再生処理系の運転を行う。
【００４１】
古紙再生処理系の通常運転中は、制御部７００の洗浄用弁装置制御機能部７１８が洗浄用弁装置１１１を閉操作するので、古紙再生処理中に作業者が手動制御洗浄水供給装置１１０を用いて手動制御で洗浄作業を行なうことを確実に禁止できる。
（メンテナンス）
操作パネル上のキー操作により通常運転とメンテナンス運転とを切替える。通常運転とメンテナンス運転との切替手段は他の構成とすることも可能である。古紙再生処理系の通常運転を停止して作業者が手動制御で洗浄作業を行なうメンテナンス時には、作業者が手動制御で洗浄用弁装置制御機能部７１８を操作して洗浄用弁装置１１１を開操作し、かつ手動開閉栓１１３を開操作してシャワーヘッド１１４で、パルパー部９、貯蔵タンク部１０、脱墨部１１、抄紙部１３、乾燥部１４、仕上部１５、白水タンク部１００、排水処理タンク部１０１の各処理部を洗浄する。メンテナンスの洗浄時には、通常の古紙再生処理と同様に常に排水処理動作を行う。
【００４２】
この際に、液位監視装置１１５が各処理部の異常液位を検出したときに、制御部７００の元弁装置制御機能部７１７が元弁装置１０９を閉操作することで、作業者の監視の目が行き届かない場合にあっても、各処理部の貯留槽が洗浄排水で一杯となる前に、洗浄作業を停止させ、洗浄排水等が各処理部の貯留槽から溢れ出して機械外部に漏出することを未然に防止できる。
【００４３】
元弁装置１０９は主電源が通電状態である場合にのみ開状態となるので、主電源が通電状態である場合にのみ、作業者が手動制御洗浄水供給装置１１０を用いて手動制御で洗浄作業を行なうことができる。つまり、主電源が通電状態であることを洗浄作業の条件とすることで、液位監視装置１１５の作動を保障し、液位監視装置１１５による各処理部の液位の監視を確実に実行できる。
【００４４】
制御部７００は、メンテナンス時に水流検出装置１１２により水流を検出することで、作業者が手動制御洗浄水供給装置１１０を用いて手動制御で洗浄作業を行なっていることを認知でき、制御部７００の通常運転禁止制御機能部７１９によりメンテナンス中の古紙再生処理系の運転を確実に禁止できる。
【００４５】
メンテナンス時に作業者は、手動制御で制御部の単独運転制御機能部７２０を起動して各処理部、例えばパルパー部９のスクリュー回転や抄紙部１３のベルトの回転を任意に単独運転することで、洗浄効果を高めることができる。ただし、安全性に配慮し、各部の作動スイッチ（図示省略）を押し続けてなければ動作しない構成を有している。
【００４６】
作業者は、手動制御洗浄水供給装置１１０を用いて行なう洗浄作業の後に、手動制御で制御部７００の洗浄動作制御機能部７２１を起動することで、予めメンテナンス動作として設定した各処理部の洗浄動作を自動的に一連の動作として行なうことができ、各処理部に対する仕上げ洗浄が可能になる。
【００４７】
この予めメンテナンス動作として設定した各処理部の洗浄動作とは、古紙再生処理系を構成する処理部である給紙部１、パルパー部９、貯蔵タンク部１０、脱墨部１１、抄紙部１３、乾燥部１４、仕上部１５、白水タンク部１００、排水処理タンク部１０１に上水または白水タンク部１００の白水を通水するとともに、パルパー部９、抄紙部１３になどの所定箇所に設置した洗浄ヘッド（図示省略）からスポット的に上水または白水を吹き付けて洗浄するものである。メンテナンス後に洗浄動作制御機能部７２１を起動することで、古紙再生処理系の各処理部の仕上洗浄が可能になる。
【符号の説明】
【００４８】
１  給紙部
２  紙片
３  貯留部
４  古紙
５  給紙装置
６  計量部
７  排出用サイクロン
８  パルプ懸濁液
９  パルパー部
１０  貯蔵タンク部
１１  脱墨部
１２  湿紙
１３  抄紙部
１４  乾燥部
１５  仕上部
１６  紙片搬送ダクト
１７  送気流
１８  送風装置
３７  パルパー槽
３８  攪拌装置
３９  攪拌装置
４０  脱墨槽
４２  ローラ
４３  抄紙ワイヤー
４４  ヘッドボックス
４６  ローラ
４６ａ、５０ａ  ローラ
４７  吸水ベルト
４８  加熱装置
４９  乾燥ローラ
５０  ローラ
５１  第１搬送ベルト
５２  ローラ
５３  第２搬送ベルト
６１  乾紙
６２  再生紙
６３  紙受部
６０  カッター
１００  白水タンク部
１０１  排水処理タンク部
１０２  脱墨排水系
１０３  下水配管
１０４  抄紙排水系
１０５、１０６  白水返送系
１０７  上水配管
１０８  給水配管
１０９  元弁装置
１１０  手動制御洗浄水供給装置
１１１  洗浄用弁装置
１１２  水流検出装置
１１３  手動開閉栓
１１４  シャワーヘッド
１１５  液位監視装置
２００  スポット洗浄用配管
７００  制御部
７１０  ＣＰＵ
７１１  パルパー部制御機能部
７１２  脱墨部制御機能部
７１３  抄紙部制御機能部
７１４  仕上部制御機能部
７１５  排水処理タンク部制御機能部
７１６  自動運転制御機能部
７１７  元弁装置制御機能部
７１８  洗浄用弁装置制御機能部
７１９  通常運転禁止制御機能部
７２０  単独運転制御機能部
７２１  洗浄動作制御機能部
【図１】
0005653153.tif 000002
【図２】
0005653153.tif 000003
【図３】
0005653153.tif 000004
【図４】
0005653153.tif 000005